(57)【要約】【課題】口頸部を口で咥えた際に、安定して保持することができるチューブ状容器を提案する。【解決手段】本発明は、内容物を収容する胴部１１に肩部１２を介して連結する薄肉の口頸部１３を有し、口頸部１３の破断予定線１４に沿い口頸部１３の端部１３ｂを引きちぎって開封するチューブ状容器であって、口頸部１３は、破断予定線１４を挟む一対のリブ１５を有するとともに、外周面１３ｃが楕円筒状であり且つ内周面１３ｄが外周面に対して平行となる楕円筒状であることを特徴とする。【選択図】図１
2014028626.tif 000002
【特許請求の範囲】
【請求項１】
内容物を収容する胴部に肩部を介して連結する薄肉の口頸部を有し、該口頸部の破断予定線に沿い該口頸部の端部を引きちぎって開封するチューブ状容器において、
前記口頸部は、前記破断予定線を挟む一対のリブを有するとともに、外周面が楕円筒状であり且つ内周面が外周面に対して平行となる楕円筒状であることを特徴とするチューブ状容器。
【請求項２】
内容物を収容する薄肉の胴部に肩部を介して連結する口頸部を有し、該口頸部の破断予定線に沿い該口頸部の端部を引きちぎって開封するチューブ状容器において、
前記口頸部は、前記破断予定線を挟む一対のリブを有するとともに、外周面が円筒状であり且つ内周面が外周面の中心軸と同軸の中心軸を持つ楕円筒状であることを特徴とするチューブ状容器。
【請求項３】
前記一対のリブのうち、少なくとも前記胴部側に位置するリブは、前記内周面の短径側に間欠部を有する間欠状リブである請求項１又は２に記載のチューブ状容器。
【請求項４】
前記口頸部は、該口頸部の端部に一体的につながる摘み部を有し、該摘み部は前記一対のリブのうち、該口頸の端部側に位置するリブとの連結部を有する請求項１〜３の何れかに記載のチューブ状容器。
【発明の詳細な説明】
【技術分野】
【０００１】
本発明は、薄肉の合成樹脂によって形成されるチューブ状容器に関するものであり、特に、食品等を内容物として収容し、破断予定線に沿う引きちぎりにて開封させた口頸部を直接口に咥えて内容物を注出、吸引することができるチューブ状容器に関する。
【背景技術】
【０００２】
例えばアイスクリームやシャーベットのような氷菓、又はその他の食品を収容し、破断予定線に沿う引きちぎりにて開封させた口頸部を直接口に咥えて内容物を注出、吸引することができるチューブ状容器は、これまでにも種々の容器が上市されている（例えば特許文献１参照）。
【０００３】
この種の容器は、特許文献１に記載のチューブ状容器のように、開封溝１１（破断予定線）に沿って末端部位１５（口頸部の端部）を引きちぎった後、開口した容器の先端部分（口頸部）を直接口に咥えて、容器本体を押圧したり、口でしごくようにしたりして、内容物を注出、吸引することができるようになっている。
【先行技術文献】
【特許文献】
【０００４】
【特許文献１】特開２００６−１８８２８８号公報
【発明の概要】
【発明が解決しようとする課題】
【０００５】
ところでこの種の容器は、特許文献１に記載されているように、例えばブロー成形等で形成される薄肉の合成樹脂製である故に、口頸部も容易に変形しやすくなっていてコシが弱く、口で咥えた際に安定して保持することが難しいものであり、この点での改良が求められている。
【０００６】
本発明は、上記の問題を解決することを課題とするものであり、その目的は、開封後の口頸部を口で咥えた際に、唇や歯、舌等で容器を安定して保持することができ、しかも内容物の注出、吸引のしやすさを損なうことがない、新たなチューブ状容器を提案するところにある。
【課題を解決するための手段】
【０００７】
本発明は、内容物を収容する胴部に肩部を介して連結する薄肉の口頸部を有し、該口頸部の破断予定線に沿い該口頸部の端部を引きちぎって開封するチューブ状容器において、
前記口頸部は、前記破断予定線を挟む一対のリブを有するとともに、外周面が楕円筒状であり且つ内周面が外周面に対して平行となる楕円筒状であることを特徴とするチューブ状容器である。
【０００８】
また本発明は、内容物を収容する薄肉の胴部に肩部を介して連結する口頸部を有し、該口頸部の破断予定線に沿い該口頸部の端部を引きちぎって開封するチューブ状容器において、
前記口頸部は、前記破断予定線を挟む一対のリブを有するとともに、外周面が円筒状であり且つ内周面が外周面の中心軸と同軸の中心軸を持つ楕円筒状であることを特徴とするチューブ状容器である。
【０００９】
前記一対のリブのうち、少なくとも前記胴部側に位置するリブは、前記内周面の短径側に間欠部を有する間欠状リブであることが好ましい。
【００１０】
前記口頸部は、該口頸部の端部に一体的につながる摘み部を有し、該摘み部は前記一対のリブのうち、該口頸の端部側に位置するリブとの連結部を有することが好ましい。
【発明の効果】
【００１１】
口頸部は、楕円筒状の外周面に対して内周面が外周面と平行となる楕円筒状であるので、短径側を狭めるように作用する力に対しては潰れやすく、長径側を狭めるように作用する力に対しては潰れにくくなっている。これにより、口頸部の長径側を口を閉じる向きとするようにして咥えれば、潰れにくい側が口を閉じる向きとなり、チューブ状容器を安定して保持することができる。一方、内容物を口でしごくようにして注出、吸引したい場合は、口頸部の短径側を口を閉じる向きとするようにして咥えれば、これを容易に行うことができる。また、リブを設けることによって口頸部をより潰れにくくすることができる上、リブを設けて強度が高まる分、相対的に破断予定線の強度が低くなるので、口頸部の端部の引きちぎりがより確実に行えるようになる。
【００１２】
口頸部の外周面を円筒状とし、内周面を外周面の中心軸と同軸の中心軸を持つ楕円筒状とする場合は、内周面の短径側を狭めるように作用する力に対しては潰れやすく、内周面の長径側を狭めるように作用する力に対しては潰れにくくすることができるので、上記の場合と同様に、内容物を注出、吸引する機能を阻害することなく、チューブ状容器を安定的に保持することができる。
【００１３】
一対のリブのうち、少なくとも前記胴部側に位置するリブを内周面の短径側に間欠部を有する間欠状リブとする場合は、口頸部が潰れやすい向きで咥えると、間欠部が口を閉じる向きに位置することになるので、口でしごく際にリブが邪魔になることがない。
【００１４】
口頸部の端部に一体的につながる摘み部を設け、この摘み部に、一対のリブのうち端部側に位置するリブとつながる連結部を設ける場合は、摘み部と口頸部の端部との連結がより強固となり、摘み部を引き上げる際の引き上げの力が確実に端部に伝わり、無駄な力が減る分、より小さな力で引きちぎることができる。
【図面の簡単な説明】
【００１５】
【図１】本発明に従うチューブ状容器の一つの実施形態を示す、（ａ）は要部の側面図であり、（ｂ）は（ａ）の斜視図である。
【図２】図１に示すチューブ状容器から口頸部の端部を引きちぎって開封させた状態を示す、（ａ）は斜視図であり、（ｂ）は平面図であり、（ｃ）は（ａ）に示すＡ−Ａに沿う断面図である。
【図３】（ａ）は図２（ｂ）に示すＢ−Ｂに沿う断面図であり、（ｂ）は図２（ｂ）に示すＣ−Ｃに沿う断面図である。
【図４】本発明に従うチューブ状容器の他の実施形態を示す、（ａ）は要部の側面図であり、（ｂ）は（ａ）の斜視図である。
【図５】図４に示すチューブ状容器から口頸部の端部を引きちぎって開封させた状態を示す、（ａ）は斜視図であり、（ｂ）は平面図であり、（ｃ）は（ａ）に示すＤ−Ｄに沿う断面図である。
【図６】（ａ）は図５（ｂ）に示すＥ−Ｅに沿う断面図であり、（ｂ）は図５（ｂ）に示すＦ−Ｆに沿う断面図である。
【発明を実施するための形態】
【００１６】
以下、図面を参照して、本発明をより具体的に説明する。
図１は、本発明に従うチューブ状容器の一つの実施形態を示す、（ａ）は要部の側面図であり、（ｂ）は（ａ）の斜視図であって、図２は、図１に示すチューブ状容器から口頸部の端部を引きちぎって開封させた状態を示す、（ａ）は斜視図であり、（ｂ）は平面図であり、（ｃ）は（ａ）に示すＡ−Ａに沿う断面図であって、図３は、（ａ）は図２（ｂ）に示すＢ−Ｂに沿う断面図であり、（ｂ）は図２（ｂ）に示すＣ−Ｃに沿う断面図である。
【００１７】
図１（ａ）、（ｂ）において、符号Ａは本発明の一つの実施形態を示すチューブ状容器である。チューブ状容器Ａは、例えばブロー成形等によって形成される薄肉の合成樹脂製の容器であって、筒状の胴部１１に肩部１２を介して連結する口頸部１３を設けたものである。また、チューブ状容器Ａの口頸部１３の端部、及び図示しない胴部１１の端部（口頸部１３を設けた側と反対側の端部）は閉鎖され、その内側に形成される密閉空間内に内容物が充填されている。さらに、口頸部１３の径方向外側には板状の摘み部１６を設けている。
【００１８】
口頸部１３は、肩部１２と連結する本体部１３ａと、破断予定線１４を介して本体部１３ａに引きちぎり可能に一体連結する端部１３ｂとを備えている。さらに、口頸部１３には、破断予定線１４を挟んで径方向外側に突出する一対のリブ１５（本体側リブ１５ａ及び端部側リブ１５ｂ）を備えている。なお、破断予定線１４は、周囲の部分よりも強度が低くなる部位であり、例えば口頸部１３に局所的に厚みが薄くなる薄肉部を設けること等、種々の方法で形成することができる。また、本実施形態のように一対のリブ１５を設ける場合は、強度が高まるリブ１５に対して、一対のリブ１５の相互間は相対的に強度が低くなるので、局所的な薄肉部を形成することなく、リブ１５の相互間を破断予定線１４とすることもできる。
【００１９】
本実施形態における口頸部１３は、図２（ｃ）を参照して明らかなように、外周面１３ｃが楕円筒状となっており、内周面１３ｄは、外周面１３ｃに対して平行となる楕円筒状となっている。すなわち、楕円筒状となる外周面１３ｃの中心軸Ｍに対して、内周面１３ｄも同一の中心軸Ｍを有する楕円筒状となっている。これにより口頸部１３の厚みｔａは、図２（ｃ）、図３（ａ）、（ｂ）に示すように、全周に亘って同一となっている。
【００２０】
また、リブ１５は外周面１３ｃに対して同一突出量で延在するものでもよいが、本実施形態においては、図１（ａ）、（ｂ）に示すように間欠部１５ｃを設けていて、リブ１５は、間欠部１５ｃで分離した間欠状リブとなっている。図２（ａ）〜（ｃ）を参照して明らかなように、間欠部１５ｃは、内周面１３ｄの短径側に設けられている。
【００２１】
摘み部１６は、外周面１３ｃの長径側に配置され、肩部１２、本体部１３ａ、及び本体側リブ１５ａとの間で弱化部１６ａを介して連結している。弱化部１６ａも、破断予定線１４と同様に周囲の部分よりも強度が低くなる部位であり、例えば局所的に厚みが薄くなる薄肉部を設けて形成することができる。なお、弱化部１６ａを設けずに予め切り離された状態にしてもよい。一方、摘み部１６は、端部１３ｂとは強固に連結している。さらに、本実施形態において摘み部１６は、端部側リブ１５ｂとつながる連結部１６ｂにて端部側リブ１５ｂとも一体連結している。
【００２２】
上記のように構成されるチューブ状容器Ａは、摘み部１６を摘んで上方に引き上げると弱化部１６ａが破断し、端部１３ｂにも上方に引き上げる力が伝わり、破断予定線１４から端部１３ｂを引きちぎって開封することができる。本実施形態においては、リブ１５を設けたことによって破断予定線１４との強度の差を大きくすることができるので、引きちぎりがより行いやすくなる。また、摘み部１６は、端部側リブ１５ｂと連結部１６ｂにてつながっているので、引き上げの力をより確実に端部１３ｂに伝えることができ、より小さな力で開封することが可能となる。
【００２３】
口頸部１３は楕円状であるので、図２（ｂ）、（ｃ）に示すように、外周面１３ｃの短径側を狭めるように作用する力に対しては潰れやすく、外周面１３ｃの長径側を狭めるように作用する力に対しては潰れにくくなっている。これにより、外周面１３ｃの長径側を口を閉じる向きとするようにチューブ状容器Ａの姿勢を合わせて口に咥えることで、口頸部の本体部１３ａには潰れにくい方向に力が作用することとなり、唇や歯、舌等で安定して保持することができる。一方、内容物を口でしごくようにして注出、吸引したい場合は、外周面１３ｃの短径側を口を閉じる向きとするようにチューブ状容器Ａの姿勢を合わせて咥えればよい。
【００２４】
また、本実施形態におけるリブ１５の間欠部１５ｃは、図２（ａ）〜（ｃ）に示すように内周面１３ｄの短径側（外周面１３ｃの短径側）に設けているので、本体部１３ａが潰れやすい向きで咥えると、間欠部１５ｃは口を閉じる向きに位置することになるので、口でしごく際にリブ１５が邪魔になることがなく、内容物を注出、吸引する機能が阻害されるおそれがない。また、リブ１５によって剛性が高まって本体部１３ａはさらに潰れにくくなり、また、径方向外側に突出していて唇や歯に引っ掛かりやすくなるので、口で咥える際にチューブ状容器Ａをさらに安定して保持することができる。
【００２５】
次に本発明に従う他の実施形態のチューブ状容器Ｂについて説明する。
図４は、本発明に従うチューブ状容器の他の実施形態を示す、（ａ）は要部の側面図であり、（ｂ）は（ａ）の斜視図であって、図５は、図４に示すチューブ状容器から口頸部の端部を引きちぎって開封させた状態を示す、（ａ）は斜視図であり、（ｂ）は平面図であり、（ｃ）は（ａ）に示すＤ−Ｄに沿う断面図であって、図６は、（ａ）は図５（ｂ）に示すＥ−Ｅに沿う断面図であり、（ｂ）は図５（ｂ）に示すＦ−Ｆに沿う断面図である。
【００２６】
上述したチューブ状容器Ａに対し、他の実施形態のチューブ状容器Ｂは、口頸部１３の形状を変更した以外は同一の機能を有するものであり、同一の符合を付してここでは説明を省略する。
【００２７】
チューブ状容器Ｂの口頸部２３は、チューブ状容器Ａと同様に、肩部１２と連結する本体部２３ａと、破断予定線１４を介して本体部２３ａに引きちぎり可能に一体連結する端部２３ｂとを備えている。また、図５（ｃ）を参照して明らかなように、外周面２３ｃは円筒状となっており、内周面２３ｄは、外周面２３ｃの中心軸Ｍに対して同軸となる楕円筒状となっている。これにより、口頸部２３の厚みは、図５（ｃ）、図６（ａ）、（ｂ）に示すように、内周面２３ｄの短径側の厚みｔｂに対して内周面２３ｄの長径側の厚みｔｃが薄くなっている。
【００２８】
また、図５（ａ）〜（ｃ）に示すように、チューブ状容器Ｂにおけるリブ１５の間欠部１５ｃは、チューブ状容器Ａと同様に、内周面２３ｄの短径側に設けられている。
【００２９】
このように構成したことにより、チューブ状容器Ｂの本体部２３ａは、図５（ｂ）、（ｃ）に示すように、内周面２３ｄの短径側を狭めるように作用する力に対しては潰れやすく、内周面２３ｄの長径側を狭めるように作用する力に対しては潰れにくくなっている。これにより、チューブ状容器Ａと同様に口に咥える際の姿勢の違いにて、内容物の注出、吸引性能を阻害することなく、チューブ状容器Ｂを安定的に保持することができる。また、チューブ状容器Ｂでも、リブ１５によって剛性が高まって本体部２３ａはさらに潰れにくくなり、また、径方向外側に突出していて唇や歯に引っ掛かりやすくなるので、口で咥える際にチューブ状容器Ｂをさらに安定して保持することができる。なお間欠部１５ｃは、チューブ状容器Ａと同様の位置関係で設けられているので、口でしごく際にリブ１５が邪魔になることはない。
【００３０】
上述した実施形態においては、本体側リブ１５ａ及び端部側リブ１５ｂをともに間欠状リブとしたが、本体側リブ１５ａは間欠状リブのままで端部側リブ１５ｂについては環状のリブとしてもよく、これによれば、上述した実施形態と同様に口でしごくことができ、また端部１３ｂ、２３ｂの強度をより高めることができるので、引きちぎりが行いやすくなる。
【産業上の利用可能性】
【００３１】
本発明によれば、口頸部を唇や歯、舌等で安定して保持することができる上、中心軸回りに回転させる簡単な操作で内容物の注出、吸引のしやすさも維持される優れたチューブ状容器を提供できる。
【符号の説明】
【００３２】
１１  胴部
１２  肩部
１３、２３  口頸部
１３ａ、２３ａ  本体部
１３ｂ、２３ｂ  端部
１３ｃ、２３ｃ  外周面
１３ｄ、２３ｄ  内周面
１４  破断予定線
１５  リブ
１５ａ  本体側リブ
１５ｂ  端部側リブ
１５ｃ  間欠部
１６  摘み部
１６ａ  弱化部
１６ｂ  連結部
Ａ、Ｂ  チューブ状容器
Ｍ    中心軸
【図１】
2014028626.tif 000003
【図２】
2014028626.tif 000004
【図３】
2014028626.tif 000005
【図４】
2014028626.tif 000006
【図５】
2014028626.tif 000007
【図６】
2014028626.tif 000008